(57)【要約】【課題】ガラス製又は金属製の平板で構成される天板１と、天板に開設されたバーナ用開口２を通して天板の上方に突出するバーナ３と、バーナ用開口の周縁とバーナの外周面との間の隙間を閉塞する環状のバーナリング４と、天板上にバーナ用開口を囲うようにして載置される五徳６と、を備えるガスコンロであって、バーナリングをその外周近傍の天板の部分に亘って五徳の五徳枠６２により上方から覆って体裁を良くするものにおいて、五徳枠に煮こぼれ汁がこびり付くことを防止できるようにする。【解決手段】外径がバーナリング４の外径より大きく、内径がバーナリング４の外径より小さく、且つ、バーナ３の外径より大きな環状板で構成される五徳枠６２をバーナ３の炎孔３４より下方位置でバーナリング４の上方に隙間を存して対向するように配置する。更に、五徳枠６２に径方向外方に向かう下り勾配を付ける。【選択図】図２
2007285613.tif 000002
【特許請求の範囲】
【請求項１】
ガラス製又は金属製の平板で構成される天板と、天板に開設されたバーナ用開口を通して天板の上方に突出する、上端部外周に多数の炎孔が設けられたバーナと、バーナ用開口の周縁とバーナの外周面との間の隙間を閉塞する環状のバーナリングと、天板上にバーナ用開口を囲うようにして載置される、複数の五徳爪とこれら五徳爪を連結する五徳枠とを有する五徳と、を備えるガスコンロにおいて、
五徳枠は、外径がバーナリングの外径より大きく、内径がバーナリングの外径より小さく、且つ、バーナの外径より大きな環状板で構成され、五徳枠がバーナの炎孔より下方位置でバーナリングの上方に隙間を存して対向するように配置されると共に、五徳枠に径方向外方に向かう下り勾配が付けられていることを特徴とするガスコンロ。
【請求項２】
前記各五徳爪は、上辺部と、上辺部の径方向外端部から垂下する脚部と、脚部の下端部から径方向内方にのびる下辺部とを有する形状に形成され、各五徳爪が下辺部の径方向内端部において前記五徳枠の下面に連結されることを特徴とする請求項１記載のガスコンロ。
【発明の詳細な説明】
【技術分野】
【０００１】
本発明は、ガラス製又は金属製の平板で構成される天板と、天板に開設されたバーナ用開口を通して天板の上方に突出する、上端部外周に多数の炎孔が設けられたバーナと、を備えるガスコンロに関する。
【背景技術】
【０００２】
ガスコンロの天板は、一般的に、板金のプレス成形品で構成されるが、最近は、天板をガラス製又は金属製の平板で形成したものが流行している。この天板は、上面がフラットで清掃性、外観性に優れる。
【０００３】
また、このような平板から成る天板を用いるガスコンロにおいて、煮こぼれ汁がコンロ本体内に落下することを防止するため、バーナ用開口の周縁とバーナの外周面との間の隙間を閉塞する環状のバーナリングを設けたものも知られている。ここで、バーナリングの外周には天板の上面との間の段差を生ずる。そして、バーナリングの外周近傍の天板上面に付着した煮こぼれ汁等の汚れは段差の影響で拭き取りにくくなる。そのため、ある程度使用するとバーナリングの外周近傍の汚れが黒ずんで目立つようになり、体裁を損なう。
【０００４】
そこで、従来、天板上にバーナ用開口を囲うようにして載置する五徳の五徳枠を、内径がバーナリングの外径より小径で、外径がバーナリングの外径より大径の環状板で構成し、この五徳枠をバーナリングの上面に重ね合わせるようにしたものも知られている(例えば、特許文献１参照)。このものでは、バーナリングとその外周近傍の天板部分とが五徳枠で覆われるため、バーナリングの外周近傍に汚れが付着せず、体裁が良好に保たれる。然し、五徳枠の上面に煮こぼれ汁が落下すると、五徳枠がバーナ炎からの輻射熱で高温になるため、煮こぼれ汁が五徳枠にこびり付きやすくなり、五徳の手入れが面倒になる。
【特許文献１】特開２００２−１３７３９号公報
【発明の開示】
【発明が解決しようとする課題】
【０００５】
本発明は、以上の点に鑑み、体裁を良くして、且つ、五徳枠への煮こぼれ汁のこびり付きも有効に防止できるようにしたガスコンロを提供することをその課題としている。
【課題を解決するための手段】
【０００６】
上記課題を解決するために、本発明は、ガラス製又は金属製の平板で構成される天板と、天板に開設されたバーナ用開口を通して天板の上方に突出する、上端部外周に多数の炎孔が設けられたバーナと、バーナ用開口の周縁とバーナの外周面との間の隙間を閉塞する環状のバーナリングと、天板上にバーナ用開口を囲うようにして載置される、複数の五徳爪とこれら五徳爪を連結する五徳枠とを有する五徳と、を備えるガスコンロにおいて、五徳枠は、外径がバーナリングの外径より大きく、内径がバーナリングの外径より小さく、且つ、バーナの外径より大きな環状板で構成され、五徳枠がバーナの炎孔より下方位置でバーナリングの上方に隙間を存して対向するように配置されると共に、五徳枠に径方向外方に向かう下り勾配が付けられていることを特徴とする。
【０００７】
本発明によれば、バーナリングがその外周近傍の天板部分に亘って五徳枠により上方から覆われるため、バーナリングの外周近傍に汚れが付着しても、この汚れは五徳枠で目隠しされ、体裁が良好に保たれる。更に、本発明では、バーナリングと五徳枠との間に隙間が確保されると共に、五徳枠の内径がバーナの外径より大きいため、五徳枠の内周縁とバーナの外周面との間にも隙間を生ずる。従って、バーナリングと五徳枠との間の隙間から五徳枠の内周縁とバーナの外周面との間の隙間を介してバーナの炎孔に向かう二次空気の流れが形成され、この二次空気流で五徳枠が空冷される。しかも、五徳枠に径方向外方に向かう下り勾配が付けられているため、五徳枠に落下した煮こぼれ汁は速やかに五徳枠の外周から天板上に流下し、五徳枠の空冷と相俟って、五徳枠への煮こぼれ汁のこびり付きが有効に防止される。
【０００８】
また、本発明において、五徳の各五徳爪は、上辺部と、上辺部の径方向外端部から垂下する脚部と、脚部の下端部から径方向内方にのびる下辺部とを有する形状に形成され、各五徳爪が下辺部の径方向内端部において前記五徳枠の下面に連結されることが望ましい。これによれば、五徳枠の上面は全域に亘り五徳爪の連結部による凹凸が存在しない平滑面になり、五徳枠の上面に煮こぼれ汁が残ったとしても、これを容易に拭き取ることができる。
【発明を実施するための最良の形態】
【０００９】
図１、図２を参照して、１はガスコンロの天板を示している。天板１は、セラミックガラス等のガラス製の平板又はアルミニウム等の金属製の平板で構成されている。天板１にはバーナ用開口２が開設されており、このバーナ用開口２を通してバーナ３が天板１の上方に突出している。
【００１０】
バーナ３は、天板１で覆われるコンロ本体内に配置される混合管３１と、混合管３１の下流端部から上方にのび、バーナ用開口２を通して天板１の上方に突出する内外２重筒構造のバーナボディ３２と、バーナボディ３２上に載置される環状のバーナヘッド３３とで構成されている。バーナヘッド３３の下面外周部には多数の歯形が垂設されており、バーナ２の上端部外周にこれら歯形間の隙間で構成される多数の炎孔３４が設けられている。ここで、炎孔３４に形成される火炎が後述する五徳爪６１に触れると燃焼不良を生ずるため、各五徳爪６１に合致する周方向部分に設けられる炎孔３４を開口面積の小さな小炎孔３４ａに形成し、火炎が五徳爪６１に触れないようにしている。
【００１１】
尚、バーナボディ３２の外周には、その外筒部の上端から垂下する筒状のスカート部３２ａが設けられている。また、バーナ３には、スカート部３２ａの外側に位置させて、点火電極３５と失火検知用の熱電対３６とが付設され、更に、バーナヘッド３３を上方から覆うバーナカバー３７が設けられている。バーナカバー３７は、煮こぼれ汁がバーナ３の内径部を通してコンロ本体内に落下することを防止すると共に、コンロ本体内からバーナ３の内径部を通して上昇する空気を炎孔３４の近傍に二次空気として導く機能を有する。
【００１２】
また、天板１には、バーナ用開口２の周縁とバーナ３(スカート部３２ａ)の外周面との間の隙間から煮こぼれ汁がコンロ本体内に落下することを防止するため、この隙間を閉塞する環状のバーナリング４が装着されている。バーナリング４は、その下面外周部に装着した環状パッキン４１を介して天板１上に着座しており、バーナリング４の内周にバーナ３のスカート部３２ａが嵌合している。また、バーナリング４のバーナ用開口２内に張り出す部分の下面には、周方向の間隔を存して複数の爪部４２(図２には１個の爪部のみが示されている)が垂設されている。そして、バーナ用開口２の口縁部に装着した保護リング５の周方向複数箇所に爪部４２に対応する引掛け部５１を形成し、各爪部４２を各引掛け部５１に係合させることでバーナリング４を抜け止めしている。また、バーナリング４には、点火電極３５用の挿通孔４３と熱電対３６用の挿通孔４４とが形成されており、点火電極３５と熱電対３６とを各挿通孔４３，４４に挿通することでバーナリング４が回り止めされる。
【００１３】
また、天板１上には、バーナ用開口２を囲うようにして、複数の五徳爪６１とこれら五徳爪６１を連結する五徳枠６２とで構成される五徳６が載置されている。各五徳爪６１は、鍋等の被加熱物の載置部となる上辺部６１ａと、上辺部６１ａの外端部から垂下する脚部６１ｂと、脚部６１ｂの下端から径方向内方にのびる下辺部６１ｃとを有する形状に形成されている。そして、各五徳爪６１が下辺部６１ｃの径方向内端部において五徳枠６２の下面に連結される。
【００１４】
五徳枠６２は、外径がバーナリング４の外径より大きく、内径がバーナリング４の外径より小さな環状板で構成されている。そして、五徳枠６２がバーナ３の炎孔３４より下方位置でバーナリング４の上方に隙間を存して対向するように配置される。また、五徳枠６２の内径はバーナ３のスカート部３２ａの外径より大きく、五徳枠６２の内周縁とスカート部３２ａの外周面との間にも隙間を生ずる。更に、五徳枠６２には、径方向外方に向かう下り勾配が付けられている。
【００１５】
また、上記の如く小炎孔３４ａを形成しても、五徳６を五徳爪６１が小炎孔３４ａの形成部分に合致するように位相決めしないと、火炎が五徳爪６１に触れて燃焼不良を生ずる。そこで、バーナリング４の上面に周方向２箇所の突起４５を突設すると共に、五徳枠６２に突起４５に対応する周方向２箇所の孔６２ａを形成し、各孔６２ａに各突起４５を係合させることで、五徳爪６１が小炎孔３４ａの形成部分に合致する正規位相に五徳６を位置決めできるようにしている。
【００１６】
ところで、バーナリング４の外周には天板１の上面との間の段差を生じ、バーナリング４の外周近傍の天板１上面に付着した煮こぼれ汁等の汚れは段差の影響で拭き取りにくくなる。バーナリング４を取外せば、バーナリング４の外周近傍の天板１上面に付着した汚れも拭き取ることができるが、バーナリング４は容易には取外せないようになっており、バーナリング４を装着したまま天板１の清掃を行うのが一般的である。そのため、バーナリング４の外周近傍の汚れが拭き取られないまま堆積し、ある程度使用すると汚れが黒ずんで目立つようになる。然し、本実施形態では、バーナリング４がその外周近傍の天板１の部分に亘って五徳枠６２により上方から覆われるため、バーナリング４の外周近傍の汚れは五徳枠６２で目隠しされ、体裁が良好に保たれる。
【００１７】
但し、五徳枠６２はバーナ炎からの輻射熱で高温になるため、このままでは、五徳枠６２に落下した煮こぼれ汁がこびり付きやすくなり、五徳６の手入れが面倒になる。然し、本実施形態では、五徳枠６２とカバーリング４との間に隙間が確保されると共に、五徳枠６２の内周縁とバーナ３のスカート部３２ａの外周面との間にも隙間が確保されるため、五徳枠６２とカバーリング４との間の隙間から五徳枠６２の内周縁とバーナ３のスカート部３２ａの外周面との間の隙間を介して炎孔３４に向かう二次空気の流れを生じ、この二次空気流により五徳枠６２が空冷される。また、五徳枠６２に径方向外方に向かう下り勾配が付けられているため、五徳枠６２に落下した煮こぼれ汁は速やかに五徳枠６２の外周から天板１上に流下するようになり、五徳枠６２が空冷されることと相俟って、五徳枠６２への煮こぼれ汁のこびり付きが有効に防止される。尚、五徳枠６２から天板１の上面に流下した煮こぼれ汁は、天板１が平板で構成されてその上面がフラットになっているため、五徳６を取外して容易に拭き取ることができる。
【００１８】
次に、図３に示す第２実施形態について説明する。第２実施形態と上記第１実施形態とは、五徳６を除いて同様の構成になっており、第１実施形態と同様の部材、部位に上記と同一の符号を付している。第２実施形態では、五徳６の各五徳爪６１を、上辺部６１ａの径方向内端部に下方にのびる連結部６１ｄを有するものに形成し、第１実施形態の五徳６と同様の五徳枠６２の上面に各五徳爪６１の連結部６１ｄを連結している。このものでも、第１実施形態と同様の効果を得られるが、以下の不具合を生ずる。
【００１９】
即ち、第２実施形態では、五徳枠６２の上面に五徳爪６１の連結部が存在するため、この連結部が五徳枠６２の上面に付着する煮こぼれ汁等の汚れを拭き取る際の障害物になり、拭き取り作業が面倒になる。これに対し、上記第１実施形態では、五徳枠６２の下面に各五徳爪６１がその下辺部６１ｃの径方向内端部において連結されるため、五徳枠６１の上面がその全域に亘り障害物のない平滑面になり、汚れの拭き取り作業が容易になる。
【００２０】
以上、本発明の実施形態について図面を参照して説明したが、本発明はこれに限られない。例えば、上記実施形態では、バーナリング４をバーナ３と別体としたが、バーナボディ３２の外周面にバーナリング４を一体的に形成することも可能である。
【図面の簡単な説明】
【００２１】
【図１】本発明の第１実施形態のガスコンロの要部の斜視図。
【図２】図１のＩＩ−ＩＩ線で切断した断面図。
【図３】第２実施形態のガスコンロの要部の断面図。
【符号の説明】
【００２２】
１…天板、２…バーナ用開口、３…バーナ、３４…炎孔、４…バーナリング、６…五徳、６１…五徳爪、６１ａ…上辺部、６１ｂ…脚部、６１ｃ…下辺部、６２…五徳枠。
【図１】
2007285613.tif 000003
【図２】
2007285613.tif 000004
【図３】
2007285613.tif 000005